【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
酸素捕捉組成物であって、
（Ｉ）ポリマー樹脂、
（ＩＩ）環状オキシイミドをベースとした有機酸化添加剤、
（ＩＩＩ）金属塩、好ましくは遷移金属塩、
（ＩＶ）犠牲被酸化性基質、及び任意に、
（Ｖ）追加成分
を含むが、但し成分（Ｉ）と（ＩＶ）とが異なることを条件とする、酸素捕捉組成物。
【請求項２】
成分（ＩＩ）がポリマー樹脂を基準として、０．００１〜１０質量％の量で存在し、
成分（ＩＩＩ）がポリマー樹脂を基準として、０．００１〜１０質量％の量で存在し、
成分（ＩＶ）がポリマー樹脂を基準として、０．００１〜１０質量％の量で存在し、且つ任意に、
成分（Ｖ）がポリマー樹脂を基準として、０．００１〜１０質量％の量で存在する、請求項１に記載の酸素捕捉組成物。
【請求項３】
ポリマー樹脂がオレフィンモノマーのホモポリマー及びコポリマー、オレフィンモノマーとジオレフィンモノマーとのホモポリマー及びコポリマー、環状オレフィン、１つ以上の１−オレフィン及び／又はジオレフィンと一酸化炭素及び／又は他のビニルモノマーとのコポリマー並びにポリビニルアルコールからなる群から選択される熱可塑性ポリマーである、請求項１又は２に記載の酸素捕捉組成物。
【請求項４】
有機酸化添加剤が、Ｎ−（トリチルオキシ）−フタルイミド、Ｎ−（ステアロイルオキシ）フタルイミド、Ｎ−（トルエン−４−スルホニルオキシ）−フタルイミド、Ｎ−（２−ベンゾイルベンゾイルオキシ）−フタルイミド、Ｎ，Ｎ’−ジヒドロキシピロメリト酸ジイミン及びＮ，Ｎ’−ジステアロイルオキシピロメリトイミドからなる群から選択される化合物である、請求項１から３までのいずれか１項に記載の酸素捕捉組成物。
【請求項５】
Ｃｏ、Ｃｅ、Ｍｎ、Ｃｕ、Ｎｉ、Ｖｄをベースとした金属塩を使用する、請求項１から４までのいずれか１項に記載の酸素捕捉組成物。
【請求項６】
犠牲被酸化性基質が、ポリブタジエン、ポリエステル、スクアラン、スクアレン、ポリスチレン、ポリリモネン、ポリアルファピネン、ポリベータピネン、ポリノルボルネン、ポリ乳酸、並びに直鎖状及び分枝鎖状のアルキル鎖Ｃ６〜Ｃ３０アルコールの混合物からなる群から選択される、請求項１から５までのいずれか１項に記載の酸素捕捉組成物。
【請求項７】
犠牲被酸化性基質がポリテルペン樹脂である、請求項１から５までのいずれか１項に記載の酸素捕捉組成物。
【請求項８】
酸素捕捉組成物が、充填剤、強化材、顔料、光安定剤、酸化防止剤、滑り防止及び粘着防止添加剤、可塑剤、蛍光増白剤、帯電防止剤及び膨張剤を含む群から選択される１つ以上の追加成分を更に含む、請求項１から７までのいずれか１項に記載の酸素捕捉組成物。
【請求項９】
有機酸化添加剤が以下の式（Ｉ）
【化１】
2013512977.tif 000001
（式中、
ｎは１、２又は４であり；
Ｘは＞Ｃ＝Ｏ、＞Ｓ（Ｏ）２又は＞Ｃ（Ｘ１）（Ｘ２）であり；
Ｘ１及びＸ２は互いに独立して水素、Ｃ１〜Ｃ２０アルキル、置換されていない又は１、２又は３個の同一又は異なるＣ１〜Ｃ４アルキルによって置換されたＣ３〜Ｃ１２シクロアルキル；あるいは置換されていない又は１、２又は３個のＣ１〜Ｃ４アルキルによって置換されたフェニルであり；
ＹはＣ１〜Ｃ３０アルキル、Ｃ２〜Ｃ３０アルケニル、置換されていない又は１、２又は３個のＣ１〜Ｃ４アルキルによって置換されたＣ３〜Ｃ１２シクロアルキル；置換されていない又は１、２又は３個のＣ１〜Ｃ４アルキルによって置換されたＣ５〜Ｃ１２シクロアルケニル；炭素数６〜１０の二環式又は三環式ヒドロカルビル、置換されていない又は１、２又は３個のＣ１〜Ｃ４アルキルによってフェニル上で置換されたＣ７〜Ｃ９フェニルアルキル；置換されていない又は１、２又は３個のＣ１〜Ｃ４アルキルによってフェニル上で置換されたジフェニルメチル；置換されていない又は１、２又は３個のＣ１〜Ｃ４アルキルによってフェニル上で置換されたトリフェニルメチル；Ｃ２〜Ｃ３０アシル、−ＣＯＯＹ０、Ｃ１〜Ｃ３０スルホニル、−Ｓｉ（Ｙ１）３又は−Ｓｉ（ＯＹ２）３であり；
Ｙ０、Ｙ１及びＹ２は互いに独立して水素、Ｃ１〜Ｃ１８アルキル、Ｃ３〜Ｃ１８アルケニル、置換されていない又は１、２又は３個のＣ１〜Ｃ４アルキルによって置換されたＣ３〜Ｃ１２シクロアルキル；置換されていない又は１、２又は３個のＣ１〜Ｃ４アルキルによって置換されたフェニル；あるいは置換されていない又は１、２又は３個のＣ１〜Ｃ４アルキルによってフェニル上で置換されたＣ７〜Ｃ９フェニルアルキルであり；且つ
Ｚは有機ラジカルであるが；
但し、
（１）ＹがＣ１〜Ｃ３０アルキル、Ｃ２〜Ｃ３０アルケニル又はＣ１〜Ｃ３０スルホニルである時、成分（Ｉ）はポリオレフィンホモポリマー又はコポリマーであるか又はポリオレフィンホモポリマー又はコポリマーと別の合成ポリマーとのブレンドであり；且つ
（２）ｎが２又は４であると同時に、成分（Ｉ）がポリオレフィンホモポリマー又はコポリマーであるか又はポリオレフィンホモポリマー又はコポリマーと別の合成ポリマーとのブレンドである時、Ｙは更に水素であることを条件とする）
の環状オキシイミドである、請求項１に記載の酸素捕捉組成物。
【請求項１０】
請求項１に記載の酸素捕捉組成物を含有するポリマー物品。
【請求項１１】
フィルム、シート又はラミネートである請求項１０に記載のポリマー物品。
【請求項１２】
同時押出しされた多層フィルムであるポリマー物品であって、
（Ａ）天然ポリマー及び／又は合成ポリマー、好ましくは、オレフィンモノマーのホモポリマー及びコポリマーをベースとした前記ポリマー及び
（Ｂ）以下の式（Ｉ）の環状オキシイミドをベースとした有機酸化添加剤
【化２】
2013512977.tif 000002
（式中、
ｎは１、２又は４であり；
Ｘは＞Ｃ＝Ｏ、＞Ｓ（Ｏ）２又は＞Ｃ（Ｘ１）（Ｘ２）であり；
Ｘ１及びＸ２は互いに独立して水素、Ｃ１〜Ｃ２０アルキル、置換されていない又は１、２又は３個の同一又は異なるＣ１〜Ｃ４アルキルによって置換されたＣ３〜Ｃ１２シクロアルキル；又は置換されていない又は１、２又は３個のＣ１〜Ｃ４アルキルによって置換されたフェニルであり；
ＹはＣ１〜Ｃ３０アルキル、Ｃ２〜Ｃ３０アルケニル、置換されていない又は１、２又は３個のＣ１〜Ｃ４アルキルによって置換されたＣ３〜Ｃ１２シクロアルキル；置換されていない又は１、２又は３個のＣ１〜Ｃ４アルキルによって置換されたＣ５〜Ｃ１２シクロアルケニル；炭素数６〜１０の二環式又は三環式ヒドロカルビル、置換されていない又は１、２又は３個のＣ１〜Ｃ４アルキルによってフェニル上で置換されたＣ７〜Ｃ９フェニルアルキル；置換されていない又は１、２又は３個のＣ１〜Ｃ４アルキルによってフェニル上で置換されたジフェニルメチル；置換されていない又は１、２又は３個のＣ１〜Ｃ４アルキルによってフェニル上で置換されたトリフェニルメチル；Ｃ２〜Ｃ３０アシル、−ＣＯＯＹ０、Ｃ１〜Ｃ３０スルホニル、−Ｓｉ（Ｙ１）３又は−Ｓｉ（ＯＹ２）３であり；
Ｙ０、Ｙ１及びＹ２は互いに独立して水素、Ｃ１〜Ｃ１８アルキル、Ｃ３〜Ｃ１８アルケニル、置換されていない又は１、２又は３個のＣ１〜Ｃ４アルキルによって置換されたＣ３〜Ｃ１２シクロアルキル；置換されていない又は１、２又は３個のＣ１〜Ｃ４アルキルによって置換されたフェニル；あるいは置換されていない又は１、２又は３個のＣ１〜Ｃ４アルキルによってフェニル上で置換されたＣ７〜Ｃ９フェニルアルキルであり；且つ
Ｚは有機ラジカルであるが；
但し、
（１）ＹがＣ１〜Ｃ３０アルキル、Ｃ２〜Ｃ３０アルケニル又はＣ１〜Ｃ３０スルホニルである時、成分（Ａ）はポリオレフィンホモポリマー又はコポリマーであるか又はポリオレフィンホモポリマー又はコポリマーと別の合成ポリマーとのブレンドであり；且つ
（２）ｎが２又は４であると同時に、成分（Ａ）がポリオレフィンホモポリマー又はコポリマーであるか又はポリオレフィンホモポリマー又はコポリマーと別の合成ポリマーとのブレンドである時、Ｙは更に水素であることを条件とする）
を含有する、ポリマー物品。
【請求項１３】
食品包装材である請求項１２に記載のポリマー物品。
【請求項１４】
請求項１に規定された酸素捕捉組成物を食品包装材に用いる使用。
【請求項１５】
請求項９に規定された式（Ｉ）の環状オキシイミドの酸素捕捉剤としての使用。